(57)【特許請求の範囲】
【請求項１】
偏向補正コイルが配置され、且つ、駆動増幅器に結合した画像を表示するための陰極線管と、
前記駆動増幅器に出力が結合されたディジタルアナログ変換器と、
ローとコラムの格子で配置された点に適用可能な変位値を含むメモリと、を有し、前記コラムの変位値は、ディスプレイの中心軸と上部及び下部の端の間に実質的に配置された表示スクリーンの２つの領域で最大値を有するＳ形状の補正曲線を画定し、前記Ｓ形状の補正曲線は前記中心軸と前記端に隣接する領域で実質的にゼロ値を有し、
前記変位値の隣接する間の値を線形補間し、且つ、帯及びピンクッション歪が制御できる様に、前記画像の位置を局部的に調整する前記偏向補正コイルを駆動する補正信号を発生する前記ディジタルアナログ変換器に結合された出力を有する補間手段、を更に有するビデオ表示装置。
【請求項２】
Ｓ形状の補正は、連続するステップで、中心軸と前記上部及び下部端の間に実質的に配置された前記領域から開始し、前記中心軸及び前記端にそれぞれ向かって加算される請求項１記載のビデオディスプレイ。
【請求項３】
前記メモリに蓄積された前記ディジタルワードは、前記ビデオディスプレイの整列中に得られた値を表す請求項１記載のビデオディスプレイ。
【請求項４】
前記メモリに蓄積された変位値を画定する前記ディジタルワードは、前記格子に適用可能な変位値の補間により形成された値を表す請求項１記載のビデオディスプレイ。
【請求項５】
前記線形補間手段は、表示期間中に、前記変位値に隣接する前記間の値を発生する請求項１記載のビデオディスプレイ。
【請求項６】
水平方向に間隔を開けて、表示スクリーン上の調整点における画像の局部的変位に関する垂直コラムの値が配置され、前記コラムの値は、隣接する値の間の変化する傾斜を有するＳ形状の垂直補正波形を画定する、表示スクリーン上に間隔を空けて配置した調整点のマトリクスを画定するステップと、
中心軸と上部及び下部端に対応するマトリクスの少なくとも２つの領域に関する値を線形化し、且つ、前記中心軸と前記端から開始し、前記中心軸と前記端の間に実質的に配置された、表示スクリーンの領域へ順次大きなＳ補正を適用するステップと、
メモリにマトリクス値を蓄積するステップと、
前記蓄積されたマトリクス値を読み出すステップと、
帯及びピンクッション歪を制御できる様に、表示スクリーン上の画像を補正するために、対応する調整点に関する前記蓄積されたマトリクス値の関数として、前記画像を局部的に変位するステップとを有する、表示スクリーン上の画像の幾何学的な歪をディジタル的に補正する方法。
【請求項７】
調整点の間の走査線に関する補正値を画定する前記垂直コラム内のマトリクス値の隣接する値の間を線形に補間するステップと、線形に補間された補正値の関数として調整点の間の画像を局部的に変位するステップを更に有する請求項６記載の方法。
【発明の詳細な説明】
【０００１】
本発明は、偏向補正波形の発生に関し、特に幾何学的及びコンバージェンス補正信号波形のディジタル的発生に関する。
発明の背景
投射型テレビジョン受信器のディジタルコンバージェンスは、可視スクリーン領域に亘り一定の間隔で分散された点に適用できる調整係数の２次元マトリクスを使用して達成できる。偏向補正の程度は、これらの各点で独立に精密に調整できる。水平方向では、偏向補正はマトリクス点で適用できる数値のディジタル係数で決定でき、コンバージェンス補正コイルを駆動するアナログ信号に変換される。マトリクス点の中間点では、アナログフィルタで平均化することにより補正係数が得られる。垂直方向では、補正マトリクスの点に対応する線の間の走査線に対して計算することが必要である。低価格ディスプレイシステムでは、数値的に画定された点の間の線に対する補正は、問題となる点の上下の最も近い調整点の補正値の差を得て、調整点間の走査線数により分割し、線形補間により決定される特定の走査線の補正値を重み付けすることにより決定される。このように発生された波形は、２つの数値点の間を直線とする。インターレース走査を容易にするために、交互のフィールドの補正データにオフセット値が加算される。
【０００２】
ディジタル補正は、３つのカラーラスタに対応するコンバージェンスに加えて、画像の形状に影響し得る。緑は、典型的には投射システム光軸の中心に選択される。この位置では、緑色管の面での画像は、最も、幾何学的歪が少ない。赤色と青色の表示は、垂直軸上に配置される。しかし、典型的には、水平方向に光軸からずらされている。この結果、赤色と青色のラスタは、さらに歪まされ、この軸ずれ投射位置の補正を行うには、かなめ部を成形する必要がある。緑色画像の光学的歪は最小なので、幾何学的基準として選択される。緑色ラスタは、幾何学的歪が最小となるように補正波形により大きさが決められ成形される。赤色及び青色のラスタは、緑色画像に精密に整列する様に整合される。
【０００３】
未補正の緑色ラスタは、補正波形により補正された大きな垂直ピンクッション歪の影響を受ける。幾何学的に最適にするために、各コラムに沿った補正波形は、正弦的及び放物線的要素を有する特徴的なＳ形状を有する。そして、軸のずれた赤色及び青色画像に対しては、更に線形要素が必要である。
【０００４】
補正波形は例えば、１３個のローと１６個のコラムを画定する要素のマトリクスに沿って調整できる。マトリクスの各点に関して、数値要素は、正確な画像の幾何学的形状と赤色と青色のラスタの整列を達成するために、その点で、効果が及ぼされるべき赤色、緑色及び青色ラスタの関連する変位を画定する。各コラムに対する補正点又はノードの数は、例えば、スクリーンの可視領域の垂直に配置された１２の点等と比較的少ないので、Ｓ形状の補正波形は、各ノードを通過するときに、突然、傾斜が変わり得る。各調整線でのこれらの傾斜の変化は、差マトリクス要素に従ってコンバージェンスが調整される隣接領域の水平走査線の非均一な間隔により、ラスタ走査線のブロックに輝度差を起こす。一定のレベル又は”平坦な”フィールドを有するビデオ信号が表示される場合には、ラスタは、補正波形の不連続性により、輝度に差があるはっきりした水平の帯又は線を表す。
発明の概要
発明の配置では、回路は表示スクリーン上の画像歪を補正する補正信号を発生する。メモリは、ローとコラムのグリッドでスクリーン上に配置された点に対応する変位値を蓄積する。グリッドの変位値は、一般的に、表示スクリーン上に大きな帯状の領域を引き起こすこと無く画像歪を補正する補正曲線を画定する。補間器は、蓄積された変位値の隣接する値の間の中間値を補間するため、メモリに結合される。ディジタルアナログ変換器は、補正信号を供給するため、補間器と結合される。
【０００５】
更なる発明の配置では、ビデオ装置は、画像歪を受ける画像を表示する陰極線管を有する。偏向コイルが陰極線管に配置され、駆動増幅器により駆動される。ディジタルアナログ変換器は、駆動増幅器に結合される出力信号を発生する。メモリは、ローとコラムのグリッドでスクリーン上に配置された点に対応する補間された変位値を蓄積する。補間器は、メモリに結合され、蓄積された補間された変位値に応答する。補間器は、蓄積された補間された変位値に隣接する値を補間する。ディジタルアナログ変換器は、補間器に結合され、画像歪を補正するために偏向コイルを駆動する補正信号を発生する。
詳細な説明
ディジタルラスタ補正システムは、一般的に、パターン発生器、コンバージェンスヨークを駆動する増幅器、補正定数を蓄積するメモリ、コントローラ又はマイクロプロセッサへのインターフェースよりなる。そのようなシステムは、１つの陰極線管と偏向配置と共に図１に示される。
【０００６】
ディジタルラスタ補正システムは、内部コントローラ１０２を有する。マイクロプロセッサ３０Ａは、コンバージェンスパターン発生器１２０に結合した独立した調整及び幾何学的又はコンバージェンス補正を見るための外部ビデオ回路２０と共に利用され得る。破線で示された外部マイクロプロセッサは、ＥＥＰＲＯＭ１０３に書きこまれた初期調整値を処理するために使用される。そのような外部マイクロプロセッサにより駆動される調整は、コンバージェンステストパターン表示を記録し分析し、そして、初期又は更新補正係数を発生するために、自動的な手段を使用して達成され得る。例えば、地磁気に対するディスプレイの向きによる又は要素の故障の結果の誤ったコンバージェンスを補正するために、幾何学的及びコンバージェンス補正への調整が必要とされ得る。そして、これらの補正値の変更をＥＥＰＲＯＭ１０３に蓄積するのはマイクロプロセッサ３０Ａにより成され得る。
【０００７】
図１は、あるディジタル部分を示し、図２は、ディジタルラスタ補正方法と、本発明の装置が有利に採用されている、例示的な投射型ディスプレイシステムの駆動回路とＣＲＴを示す。図１のディジタル補正回路１００は、それぞれコントローラ１０２に結合される、補正又は調整係数の不揮発性蓄積を行うＥＥＰＲＯＭ１０３、揮発性蓄積の内部ＲＡＭ１０４及びディジタルアナログ変換器ＤＡＣ１０５を有する。
【０００８】
幾何学的及び、コンバージェンス調整は、３色の各々の調整点のマトリクスを確定することにより行われる。オンスクリーンビデオパターン発生器１２０は、ＥＥＰＲＯＭ１０３に蓄積されたデータ点のマトリクスに対応するディスプレイ上の特定の位置で調整するための位置基準を供給できる。ＥＥＰＲＯＭ１０３からの調整又は補正データは、電源が入れられるときに内部ＲＡＭ１０４に読み込まれ、隣接基準位置の間で使用する補間された係数として、更なる係数を発生するのに使用される。内部ＲＡＭ１０４は、水平にはＸ整列点で、垂直にはＹ整列点により１３×１６点のマトリクスを表す、水平及び、垂直を表す２種類と、Ｒ，Ｇ，Ｂ画像を形成する３つの表示装置を表す３種類の１２４８データワードを蓄積できる。
【０００９】
表示手段の活性な走査領域は、補正制御の目的で、例えば、ローとコラムのマトリクスに分割される。ローとコラムの境界線は、網目状グリッドを画定すると考えることができる。図３は、活性な又は可視の領域は斜線がつけられた矩形により画定される網目状グリッドを示す例示的なディスプレイスクリーンを示す。図示のために、垂直グリット点又はサンプルは１３であり、水平サンプルは１６である。これらの数は、単なる例である。ローとコラムの数及び結果となる部分は、結果となるラスタの補正の望ましい大きさにより選択される。正又は負の水平及び垂直補正は３色の各々に対し、各測定点と測定点の間で起こる水平走査線で、使用され得る。図１を参照すると、信号はコントローラ１０２により読み出され、ディジタルアナログ変換器１０５に結合され、その出力は、低域通過フィルタ１０６により平滑化され、駆動増幅器１０７により増幅される。フィルタ出力は、適正なコンバージェンスのために又はＣＲＴ１０で発生されたラスタの幾何学的歪を最小化するために補正コイル１０８で必要な電流を示す電流信号である。増幅器１０７は、調整係数がラスタ走査中に読み出されるときに、ディジタルアナログ変換器（ＤＡＣ）１０５の出力の関数として、瞬時のコイル電流を測定し且つ補正コイル１０８の電流に合わせる帰還増幅器でも良い。コイル１０８を流れる補正電流はコンバージェンス補正又は最小化された幾何学的歪が現れるＣＲＴ１０により構成されたラスタ走査された画像を与える。
【００１０】
図４では、６つの円の点Ｃ２０からＥ４０は、補正データが定義されている点位置の部分を示す。例えば、Ｃ２１からＣ２４のＸでマークされたグリッド点での補正値は、即ち、Ｃ２０とＣ３０の間で使用される値は、Ｃ２０とＣ３０の値の間の補間により計算される。この結果、コラムに対する補正値をプロットすると、円の位置で発生する不連続又は急な傾斜の変化を伴い、円の間の線形な直線により分類される。
【００１１】
図２では、別々の赤色，緑色及び青色の増幅器１１０，２１０，３１０は図１の更に一般化した図の増幅器１０７に対応する。増幅器１１０，２１０，３１０は、補正コイルＲＶＣ，ＧＶＣ，ＢＶＣを図２に示すディジタルコンバージェンス発生器３０により供給される信号で駆動する。水平補正コイルＲＨＣ，ＧＨＣ，ＢＨＣにも（図示していない）対応する増幅器が設けられている。補正増幅器１１０，２１０，３１０及びそれぞれのコイルを駆動する信号は、同期分離器２０により供給される水平及び垂直レートに同期して読み出される。水平及び垂直レートは、水平及び垂直波形を発生するバス制御された波形発生器２１にも結合される。垂直鋸状波は、ピンクッション、台形及びＳ補正を提供するために発生器２１内で調整される。そして、この成形された又は予め歪められた波形は、垂直偏向増幅器８０と３つのＣＲＴの偏向ヨークＧＶ，ＲＶ，ＢＶに結合される。図２では、垂直波形発生及び成形が波形発生器２１で起こることを示すために、垂直偏向発生器と増幅器８０は点線の箱で示されている。
【００１２】
図３は、図５に示す補正曲線により達成され得る、完全な幾何学的形状の緑色の基準網目パターンを示すと考えられる。図５のＹ軸は、垂直緑色ディジタルアナログ変換器を駆動し、補正コイルＧＶＣの補正電流振幅を表す、数字で表した補正値を示す。１６曲線の各々は、網目の１６垂直コラムの各々に沿って隣接点に配置された離散値が、線により結合された線のプロットである。系列Ｃ０からＯ０はスクリーン上の可視のコラムである。系列Ａ，Ｂ及びＰは水平帰線中に発生し、斜線水平線の終わりの垂直位置の精密な調整に使用できる。
【００１３】
一方、図４に示すコンバージェンス補正係数のマトリクス内の垂直点よりも、ディスプレイの水平線の方が多い。１つのマトリクス値から次にスムーズに進むために、コントローラ１０２は、各々の垂直に連続して配置された走査線に対し、線形に値を補間する。図４を参照すると、マトリクス端Ｃ２０とＣ３０の間の中間の”Ｘ”の線での補正は、等しく増加して線形に進む。点Ｃ２１＝Ｃ２０＋（Ｃ３０−Ｃ２０）／５及び点Ｃ２２＝Ｃ２０＋２＊（Ｃ３０−Ｃ２０）／５等である。円のマトリクス点の補正値は、ＥＥＰＲＯＭ１０３に蓄積されそして、ディスプレイの開始時に読み出される。中間又は”Ｘ”点の値は、開始時に計算され、ＲＡＭ１０４に蓄積され得る。又は、蓄積されたマトリクス点の値から、例えば、ＳＧＳトムソンのＳＴＶ４０２０ディジタルコンバージェンスＩＣを使用して、各表示期間中の実行中に計算される。代わりに、増加する差（例えば、（Ｃ３−Ｃ２）／５）は、開始時に計算され蓄積されて、Ｃ２０又は前に使用されたコンバージェンス補正係数に増加的に加算される。
【００１４】
線形補間は比較的単純であるが、しかし、公称のＳ形状の補正波形の傾斜が変化する急峻な屈曲点を生じる。図５に示す値を使用する場合、変調されていない又は、平坦なフィールドのラスタの最上部と最下部は、明るさが変わる帯状の領域として表示され、水平走査線の垂直配置で実際に、ローからローの差となる。そのような補正波形の不連続は、図６に示される。図６は、図示の目的で誇張しており、光学的投射輝度効果は無視している。図６に示す帯状の領域は、あるプロットの終端近くの傾斜の急な変化による。緑色ＣＲＴ（画像）は、白色フィールドの輝度の６０％に寄与する。そのような輝度の帯は、最も知覚されやすく受け入れがたい。
【００１５】
図７に示すように、コラムに沿った補正値が傾斜の変化を有さない場合、帯は除去される。使用される補正係数を傾斜が滑らかに変化するように変えることで、帯は、最小化され除去される。例えば、補正波形の２次微分係数が各コラムに沿って連続又は略連続となるように、データを調整することができる。帯は例えば、各コラムに線形に、例えば、２次微分係数がゼロとなるように補正波形を作ることにより完全に除去される。
【００１６】
帯は、測定された補正値を、水平マトリクス又は各コラムの調整線２と１２とみなし、これらの値の間の直線を計算することにより、即ち各コラムの全波形を線形に補間することにより除去され得る。しかし、そのような線形コラム補正は、垂直ピンクッション歪の不完全な補正となる。必要とされる幾何学的に示された補正波形は、線形な関数というよりはＳ形状であり、スクリーンの中心垂直軸に関してコラムの位置と共に変化する振幅を有するからである。このＳ形状よりもむしろ線形化された補正波形は、上下の水平線（２及び、１２）はまっすぐな網目表示と、上下から内方へ向かい全ての内側の水平線の中心線でゼロ歪へ減少するピンクッション曲率を生じる。図８は、結果の幾何学的な歪を示す。水平マトリクス線１と１３は、目に見えない。なぜなら、表示領域を越えて発生するからである。しかし、目に見えるなら、少し外側にタル状であろう。この種のピンクッション曲率は、受け入れられない。なぜならば、スクリーンの位置の関数として、幾何学的に画像を歪ませるからである。例えば、歪は、視聴者がまっすぐであると知っているスクリーン上の画像要素のエッジを曲げる。メニューや、証券市場の表示のエッジのようなブロック及び、線は、例えば、まっすぐであることが期待され要求される。
【００１７】
Ｓ形状の垂直レートアナログコンバージェンス信号は、上述の内部ピンクッション歪を補正するため、及びディジタル係数から得られた信号で精密な調整を行い残りの歪を解決するために使用され得る。アナログ補正は連続で、また、補正のディジタル部は小さいので、帯とピンクッション歪の問題は減少する。しかし、そのようなアナログ補正信号の一貫性は、部品の公差と温度変動により、維持するのが難しい。そのようなアナログ信号の不安定性は、望ましくない更なる回路の複雑さ、コスト及び電力消費を招く。
【００１８】
各ラスタ線の補正値を計算し蓄積することが可能である。この計算は、各補正コラムに沿って連続又は２次微分係数がゼロとすることを含む。しかし、この方法は、比較的コストがかかり、複雑で、上述の様に、帯の最小化とピンクッション歪のトレードオフを起こし得る。
【００１９】
ディスプレイでは、正確に表示される画像の幾何学的形状のために、帯は、実質的に知覚できない様に最小化され得る。線形に補間されたデータの傾斜の変化が許されるが、しかし、最小化範囲内に維持されているなら、この例に従った装置では、実験的に、平坦なフィールドのビデオ画像の帯は実質的に知覚できない。例えば、垂直コラムの曲線は、斜線調整部分当りディジタルアナログ変換器（ＤＡＣ）のプラスマイナス５ステップ以下の曲がりに調整され得る。実質的に知覚できないレベルに帯を維持する間、調整部分当り３ステップの最大曲率が、Ｓ補正を容易にするために選択される。
【００２０】
本発明よれば、改良された線形化技術は、帯を実質的に見えなくし、且つ補正値の線形化による歪を大きく減少する。図３のマトリクスを参照すると、例えば、垂直鋸状波は、バス制御された波形発生器２１により発生され、３つの垂直偏向ヨークＧＶ，ＲＶ，ＢＶを駆動するために結合される。垂直鋸状波は、コラムＦ及びＮに沿って網目の幾何学的歪を最小化するＳ補正を提供するため発生器２１内で調整される。これらのコラムは、垂直方向に、線形コンバージェンス補正を有する。このように垂直偏向コイルのＳ補正はコンバージェンスコイルに与えられる軸の中心の反対側で極性が変わるＳ曲率補正信号の大きさを最小化する。他のコラムは、線形値から分散が３ＬＳＢステップに制限されたＳ補正が補正コイルに与えられる。コラムＡ−Ｄ、Ｈ−Ｌ及び、Ｐは、３ステップの曲率を有し、コラムＥ、Ｇ、Ｍ及びＯは、２ステップの曲率を有する。結果は、帯とピンクッション歪の両方を同時に最小化する。そして、連続する補正マトリクス点の間の線形補間を使用したディジタルコンバージェンス補正で、非常に改善された画像が一貫して達成される。
【００２１】
式から得られたコラム曲線を図９に示す。そして、式は図１０に示す。これらの式で生成された得られた結果の網目表示は、実質的に図３に示す理想的な網目である。
【００２２】
線形補間と共にディジタルコンバージェンス補正を提供する装置は、隣接する補間間隔の終端で、補正波形の２次微分係数を連続させることにより帯を補正できる。ここに記載された本発明は、必要な領域での線形化により、２次微分係数を実質的にゼロに維持し、それにより帯を除去する。これは、線形補間を示された式に従った調整と共に使用して、行うことができる。
【００２３】
本発明の特徴にしたがって、発生されたビデオ網目パターンの補正ノード点に沿って配置された特定の水平線は、測定され、補正される。更なる特徴にしたがって、好ましくは、緑色の垂直補正のみが、緑色表示画像の帯を見えなくするために帯の線形化アルゴリズムを受ける。もし、帯がある場合には、緑画像は、知覚される表示輝度の約６０％に貢献し、これにより目に見える画像は劣化するので、緑の垂直ラスタ成分は、補正される。赤と青の画像は全体の輝度にそれぞれ約３０％及び１０％とあまり貢献しないので、帯の可視性に対する貢献は無視できる。赤色及び青色のラスタ補正は、帯を抑圧する線形化の要求無しに、緑色画像の丁度上に置く様に計算され得る。しかし、帯の線形化アルゴリズムは、赤色及び青色のラスタの補正に対する使用を除外はしない。
【００２４】
垂直補正は幾分相互に作用するので、全体の整列処理は、線２，７及び１２（図３）が幾何学的に正しい絶対的な位置になるまで、行われている線位置の測定、及び計算され適用される補正と相互に作用する。補正波形の傾斜又は１次微分がコラムで線形化されて一定である限り、２次微分はゼロである。数学的な要求は満足され、帯は削除される。
【００２５】
図１１に示す単純化した例のマトリクスでは、線１と５のみについて正確な位置を決定するために、測定が行われる。中間の線２から４の位置は、補正値１と補正値５の間の差を計算し、中間のノード数引く１の数により分割することにより決定される。この補正の微分は、ノードＮ−１での補正値を確立するために、前の値に加算され、そして、Ｌ１とＬ５の間の各コラムの補正増加を表す。
【００２６】
このアプローチの１つの欠点は、中間のノード点が望ましい位置ではないかもしれないことである。実際、これらの線の位置は、内方のピンクッション歪となりがちである。図１１Ａでは、線２と４はある程度の好ましくない曲率を示す。歪の量は、光学系及び投射された画像の倍率に依存する。帯は、線形化により２次微分をゼロに減少することにより削除し得るが、２次微分がゼロでなく小さな限定的な変化が与えられる場合でも、帯は実質的には検知限度以下となり得る。発明の配置では、幾何学的歪、例えば、内方のピンクッションは、特定のコラムの補正にＳ成分を加算することにより補正され得る。Ｓ補正を提供する補正値の間の小変化又は差は、例えば、垂直測定ノード数、使用されるＤ／Ａステップの数、偏向感度その他の、様々なシステムの考慮に依存する。この例示的なシステムでは、変化は、ノードに書きこまれた補正値の、約２から３の最下位ビット（ＬＳＢ）に相当する。この許される変化は、あるコラムの補正値に加算されるべきＳ補正は少ない程度ですむ。中心に関する対称性により、必要なＳ補正の大きさは、注目する領域が中心から離れると増加し、エッジに近づくと減少する。
【００２７】
図１２は、帯を検知できなくし垂直ラスタ成分にＳ補正を供給する、図１０の補正値を引き出し適用する方法を示した単純化したフロー図である。図１１Ｂは、内方のピンクッション歪を示す。図１１Ａは、Ｓ補正の効果を示す、単純化したマトリクスを示す。例では、コラムは上、下、真中の点及び２つの４分の１の点を示す、５マトリクス点のみを有すると仮定する。この例では、補正範囲が０から１０２３の場合には、６から１２の補正ステップのオーダーの補正変化が許される。コラム１の５つの垂直マトリクス点に関し、ノードＣ１とＣが５それぞれ１００と５００の補正値が測定されたとすれば、線形化による絶対的な帯の削除は、次の値を適用するであろう。
【００２８】
Ｃ１＝１００
Ｃ２＝２００
Ｃ３＝３００
Ｃ４＝４００
Ｃ５＝５００
最大Ｓ補正が１２補正ステップの場合には、次の結果となる。
【００２９】
Ｃ１＝１００
Ｃ２＝２１２
Ｃ３＝３００
Ｃ４＝３８８
Ｃ５＝５００
加算されたＳ補正は、Ｃ２の位置を下側へ移動し、Ｃ４の位置を上側へ移動する効果を有する。この単純化したモデルでは、第２コラムＣｏｌ２は、中心コラムと共にコラムＣｏｌ１の半分の補正を使用し、Ｓ補正は必要としない。
【００３０】
光学系の変化性と電子組立対は更なる調整が必要である、製造の場では、更なる改良が有益である。上述の例を利用するとこの改良は、２から３ＬＳＢ制限内で、各コラムの線２と４の最も良い配置（ピンクッションの最小化）を達成するための、Ｓ補正の大きさの最適化よりなる。経験的且つ相互作用的性質であるが、このアプローチは、コラムのノード数が増加するにつれて更に効果的である。
【００３１】
上述の方法の応用は、幾何学的画像歪を最小化する一方で、ディジタルコンバージェンス補正装置にありがちな帯状アーティファクトを、実質的に検知できなくする。
【図面の簡単な説明】
【図１】  ディジタル補正回路の要素を示すブロック図である。
【図２】  ディジタルラスタ補正手段を有する投射型ディスプレイを示すブロック図である。
【図３】  理想的な幾何学的形状の公称ラスタパターンを示し、可視部は斜線が施され、調整点のマトリクスが円又は点で示されている。
【図４】  十字記号又はＸで示される調整点の間の補完された点を有する図３のパターンの部分を示す。
【図５】  線形補間の特性として調整点を接続する直線を有することを除いて、中心軸ラスタ（即ち、投射型テレビジョンの緑ラスタ）のコラムに対する理想的な幾何学的コンバージェンス補正波形のプロットを示す。
【図６】  図３に示す離散マトリクス調整点の間の線形補間による、コラム補正波形の、急な傾斜の変化による明るい帯を伴った平坦なフィールドのビデオラスタを示す。
【図７】  図６の帯を除去するＳ形状でなく線形な補正波形のプロットを示す。
【図８】  図７に示す線形コラム補正により生じた内部ピンクッション歪を示す。
【図９】  本発明によるコラム補正のプロットを示す。
【図１０】  図９に示され、且つ本発明によるコラム値を決定する式の図を示す。
【図１１】  図１１Ａ及び図１１Ｂは、単純な線形値補間と選択された線形のマトリクスコラム値を示すＳ補正５×５の調整マトリクスを示す。
【図１２】  線形の１３×１６及び、線形補正マトリクスへのＳ−曲率の有利な付加示す単純なフロー図を示す。
【図１】
0004145488.tif 000002
【図２】
0004145488.tif 000003
【図３】
0004145488.tif 000004
【図４】
0004145488.tif 000005
【図５】
0004145488.tif 000006
【図６】
0004145488.tif 000007
【図７】
0004145488.tif 000008
【図８】
0004145488.tif 000009
【図９】
0004145488.tif 000010
【図１０】
0004145488.tif 000011
【図１１】
0004145488.tif 000012
【図１２】
0004145488.tif 000013